(57)【特許請求の範囲】
【請求項１】
径の太い吸上げ管の一端を地面に設置したエンジンポンプの雨水吸込み側へ取付し、他端を下水管中へ屈曲して開口部が上方から流れてくる雨水の方向へ取付し、さらに吸上げ管より径の細い排出管の一端をエンジンポンプの雨水放水側へ取付し、他端を下水管中へ屈曲して開口部が下方へ流れる雨水流出方向へ取付して、下水管から吸上げた多量の雨水をエンジンポンプを循環して排出管の開口部より下水管へ放出した雨水の流降を加速させて河川、海へ速やかに流出させることを特徴とする下水管中の雨水流出加速装置。
【発明の詳細な説明】
【０００１】
【発明の属する技術分野】
本発明は下水管中の雨水流出加速装置に関し、詳しくは大雨、局地集中豪雨時に路面に雨水が溜まるのを防止するために、市街地、住宅地等のＬ字溝、Ｕ字溝の排水路から排水溝を通じて放出されてくる下水管中の雨水を速やかに河川、海へ放流させるため、地中に敷設した下水管上の地面に設置したエンジンポンプにて行うようにしたことを特徴とする下水管中の雨水流出加速装置に関するものである。
【０００２】
【従来の技術】
従来、市街地、住宅地等の路面が舗装されていなかった時代には、大雨、集中豪雨があると、図２ｂに示すように雨水が排水溝５ａから下水管１ａと流降していくが水捌けが悪いため、雨水が逆流して市街地や住宅地等の低地では路面に雨水が溜り、延いては家屋への侵入も免れないところであった。
【０００３】
ところが、近年では路面のコンクリート化により雨水流出係数の増加や局地集中豪雨が要因となって、下水管へ短時間に多量の雨水が流入するようになった。
【０００４】
そこでこの都市型浸水対策の解決策として現在貯留施設の設置、ポンプ場の増強、浸透施設の設置が検討されている。
【０００５】
また、それ以外に雨水管渠の整備方法として幹線のバイパス化や多量に流入してくる雨水を余裕のある周囲の幹線へ迂回させて負荷を均等にして局地豪雨による出水を防止する方法が考えられる。
【０００６】
【発明が解決しようとする課題】
しかしながら、いずれにしても下水管中の雨水を河川、海へと迅速に流出させて家屋への雨水の侵入を防止することが今日の都市型浸水対策の大きな課題であり急務であるのである。
【０００７】
以上のような現況から、本発明の下水管中の雨水流出加速装置にて、下水管中の雨水を速やかに河川や海へ流出させるようにして、都市型浸水をなくするようにしたのである。
【０００８】
【課題を解決するための手段】
本発明は上記従来の課題を解決するためになされたものであって、その要旨とするところは、径の太い吸上げ管の一端を地面に設置したエンジンポンプの雨水吸込み側へ取付し、他端を下水管中へ屈曲して開口部が上方から流れてくる雨水の方向へ取付し、さらに吸上げ管より径の細い排出管の一端をエンジンポンプの雨水放水側へ取付し、他端を下水管中へ屈曲して開口部が下方へ流れる雨水流出方向へ取付して、下水管から吸上げた多量の雨水をエンジンポンプを循環して排出管の開口部より下水管へ放出した雨水の流降を加速させて河川、海へと速やかに流出させることを特徴とする下水管中の雨水流出加速装置に関するものである。
【０００９】
【発明の実施の形態】
本発明の下水管中の雨水流出加速装置の実施の一例を別紙図面に基いて詳細に説明する。
【００１０】
図１に於いて、１は地中２に敷設してある下水管であって、該下水管１は雨水が流れ易いように河川、海４方向に緩やかに傾斜させて地中２に敷設してある。したがって、下水管１が地中２に無限に深く敷設されていかないため、適宜間隔を置いて下水管１、１間に雨水ポンプ３が設置されている。尚図中３ａは雨水ポンプ場である。
【００１１】
５は歩道上または側溝に設けられている排水溝で、該排水溝５から雨水は排水管１６を通じて下水管１へ流出されていくのである。６は下水管１の検査、掃除のために設けられているマンホールである。
【００１２】
そこで本発明は、先ず河川、海の河口付近の地中２に敷設してある下水管１上の地面１３に図３に示すようにエンジンポンプ７を設置させる。そして、径の太い吸上げ管８の１端をこのエンジンポンプ７の雨水吸込側に取付し、他端を下水管１へ取付してその開口部１０を上流から雨水が流れてくる矢印Ｓ方向に屈曲して設けられている。一方吸上げ管８の径よりも細い放出管９の１端がエンジンポンプ７の雨水放出側に取付され、他端が下水管１に取付されその開口部１１が雨水が下方へ流れて行く矢印ｙ方向に屈曲１５して設けられている。尚図中１２は歩道、１６は車道である。
【００１３】
上記のようにして取付した本発明の下水管中の雨水加速装置を河川、海の河口の下水管から適宜の間隔を置いて図１に示すように順次設置していくのである。
【００１４】
大雨、局地集中豪雨の際のように下水管１中の雨を速やかに河川、海へ放出させたいときには、先ず河川、海の河口付近に設置した本発明のエンジンポンプ７のスイッチを入れてモーターを始動させれば、図３に示すように下水管１中を矢印Ｓから流出してくる雨水が開口部１０へ入り、矢印のように吸上げ管８中へ吸上げされていく。そしてその雨水はエンジンポンプ７中を循環して放出管９を下降して屈曲１５を通過して開口部１１より迅速に下水管１中へ矢印のように放出される。このとき、吸上げ管８の径を太く排出管９の径を吸上げ管８よりも細く形成したので、吸上げられた雨水は排出管９より鋭く速く下水管１中へ放出されて、猛烈な勢いに加速されて河川に向って放出される。したがって、図２ａに示すように排水構５からの雨水の排出処理が頗る良好となるものである。なお、河川、海の河口のエンジンポンプのみでは雨水流水が良好にならない場合には、順次エンジンポンプを作動させて雨水の排出処理を行えば良い。
【００１５】
大雨、集中豪雨が止んだならば、河川、海の河口のエンジンポンプ７から順次スイッチを切ってモーターの作動を停止させる。
【００１６】
尚、以上の実施例ではエンジンポンプ７のスイッチ操作は手動にて行う場合を説明したが、雨水ポンプ場から電波、電気によってエンジンポンプの始動、停止を行うようにしても勿論良い
【００１７】
【発明の効果】
本発明の下水中の雨水流出加速装置によって大雨、局地集中豪雨に際しても下水管中の雨水が加速されて河川、海へと放出されるので、路面に雨水が溜まったり、延いては家屋内へ雨水が侵入する雨水災害が完全に解消された。
【００１８】
本発明は径の太い吸上げ管の一端をエンジンポンプの雨水吸込み側へ取付し、他端を下水管中へ屈曲してその開口部が上方から流れてくる雨水の流出方向へ設け、さらに吸上げ管より径の細い放水管の一端をエンジンポンプの雨水放出側へ取付し他端を下水管中へ屈曲して開口部が下方へ流れていく雨水方向へ取付したから、吸上げられた多量の雨水はエンジンポンプを循環して排水管の開口部より、下水管中を加速されて河川、海へと流出される。
【００１９】
本発明はエンジンポンプを地面に設置したから、エンジンポンプの修理、取替が迅速且容易に行うことができる利便性がある。
【図面の簡単な説明】
【図１】本発明の下水管中の雨水流出加速装置使用状態を示す概略参考説明図である。
【図２】ａ  本発明の下水管中の雨水流出加速装置を使用した場合に於ける雨水の流出状態を示す参考説明図である。ｂ  大雨、局地集中豪雨の際に本発明の下水管中の雨水流出加速装置を使用しなかったために、路面、家屋に雨水が浸漬した状態を示す参考説明図である。
【図３】本発明の下水管中の雨水流出加速装置の要部の拡大縦断説明図である。
【符号の説明】
１      下水管
１ａ    下水管
２      地中
３      雨水ポンプ
３ａ    雨水ポンプ場
４      河川、海
５      排水溝
５ａ    排水溝
６      マンホール
７      エンジンポンプ
８      吸上げ管
９      排出管
１０      開口部
１１      開口部
１２      歩道
１３      地面
１４      屈曲
１５      屈曲
１６      排水管
【図１】
0003609807.tif 000002
【図２】
0003609807.tif 000003
【図３】
0003609807.tif 000004